(57)【要約】【課題】経済的であって、かつ、先端部が摩耗した際の処理が容易であるピンチップを提供することである。【解決手段】チェーンコンベア１００のピン１５に回動自在に装着され、円筒状胴部を有する一方端面が開放さされた缶体５００に遊びをもって進入し、缶体５００の円筒状胴部を支持する棒状のピンチップ２０であって、チップ胴部２１と、チップ胴部２１の先端側に配置されるチップ先端部２２と、チップ胴部２１とチップ先端部２２とを分離可能に結合させる嵌め合い構造２３（結合構造）と、を有する構成となる。【選択図】図４
2020193087.tif 000002
【特許請求の範囲】
【請求項１】
チェーンコンベアのピンに回動自在に装着され、円筒状胴部を有する一方端面が開放さされた缶体に遊びをもって進入し、前記缶体の円筒状胴部を支持する棒状のピンチップであって、
チップ胴部と、
前記チップ胴部の先端側に配置されるチップ先端部と、
前記チップ胴部と前記チップ先端部とを分離可能に結合させる結合構造と、を有するピンチップ。
【請求項２】
前記結合構造は、前記チップ胴部に形成された凹部または凸部と、前記チップ先端部に形成され、前記チップ胴部の前記凹部または前記凸部に密に嵌合する凸部または凹部とにより構成される嵌め合い構造を含む、請求項１記載のピンチップ。
【発明の詳細な説明】
【技術分野】
【０００１】
本発明は、チェーンコンベアから突出するピンに回動自在に装着され、一方端面が開放された缶体を引っ掛け支持するピンチップに関する。
【背景技術】
【０００２】
飲料缶等の缶体の製造工程は、缶体外周面に印刷を行う工程、乾燥を行う工程、缶体内面のコーティングを行う工程等、種々の処理工程を含んでいる。そのような製造工程において、缶体は、ピンチェーンコンベアにて各処理工程に搬送される（例えば、特許文献１参照）。
【０００３】
特許文献１には、「長さ方向に移動駆動される帯状の被駆動体４と、この被駆動体４からその長さ方向に沿って所定間隔をおいて突出され、外周面に缶２が被せられる円柱状のピンチップ１０とを備えた缶の搬送装置において、前記ピンチップ１０の先端部に、先端に向かうにつれて径が漸次縮小するテーパ面１０ａが形成されている」缶の搬送装置が記載されている。
【先行技術文献】
【特許文献】
【０００４】
【特許文献１】実開平５−４４９０７号公報
【発明の概要】
【発明が解決しようとする課題】
【０００５】
ところで、上述したようなピンチップ１０は、缶体が引っ掛かる際に、ピンチップ１０が先端部側から缶体の内面に接触してその缶体内に進入していく。また、缶体がピンチップ１０から抜ける際に、先端部が缶体の内面に接触しながら抜けていく。このため、ピンチップ１０では、先端部分が摩耗し易い。このように、従来のピンチップ１０は、先端部分が摩耗してしまうと、その胴部分は使用できるにもかかわらず、その全体を交換しなければならない。このため、経済的なロスが大きい。また、チェーンコンベアに固定されたピンからピンチップを外し、そのピンに新たなピンチップを装着するという作業をしなければならず、その作業が煩雑であった。
【０００６】
そこで、本発明は、上述したような事情に鑑みてなされたもので、経済的であって、かつ、先端部が摩耗した際の処理が容易であるピンチップを提供するものである。
【課題を解決するための手段】
【０００７】
本発明に係るピンチップは、チェーンコンベアのピンに回動自在に装着され、円筒状胴部を有する一方端面が開放さされた缶体に遊びをもって進入し、前記缶体の円筒状胴部を支持する棒状のピンチップであって、チップ胴部と、前記チップ胴部の先端側に配置されるチップ先端部と、前記チップ胴部と前記チップ先端部とを分離可能に結合させる結合構造と、を有する構成となる。
【０００８】
このような構成によれば、結合構造により結合されたチップ胴部とチップ先端部とが一体となったピンチップは、チェーンコンベアのピンに回動自在に装着され、缶体の円筒状胴部を引っ掛けて支持する。そして、摩耗し易いチップ先端部が摩耗した場合、ピンチップ全体ではなく、チップ先端部をチップ胴部から分離して交換することができる。
【０００９】
本発明に係るピンチップにおいて、前記結合構造は、前記チップ胴部に形成された凹部または凸部と、前記チップ先端部に形成され、前記チップ胴部の前記凹部または前記凸部に密に嵌合する凸部または凹部とにより構成される嵌め合い構造を含む、構成とすることができる。
【００１０】
このような構成によれば、チップ先端部とチップ胴部とが嵌め合い構造により分離可能に結合されるので、チップ先端部の交換作業を容易に行うことができる。
【発明の効果】
【００１１】
本発明に係るピンチップによれば、比較的摩耗し易いピンチップのチップ先端部をチップ胴部から分離して交換することができるので、ピンチップの先端部分の摩耗によりピンチップ全体を交換する必要が無く経済的であり、その交換作業もピンチップ全体を交換する場合に比べて容易である。
【図面の簡単な説明】
【００１２】
【図１】図１は、本発明の実施の形態に係るピンチップが適用されるピンチップコンベアの一例を示す図である。
【図２】図２は、缶体を搬送するピンチップコンベアを部分的に拡大して示す斜視図である。
【図３】図３は、ピンチップのチェーンコンベアへの取り付け構造を示す断面図である。
【図４】図４は、ピンチップの構造を示す側面図である。
【図５Ａ】図５Ａは、図４に示すピンチップにおけるチップ胴部を先端側から見た図４のＡ−Ａ矢視図である。
【図５Ｂ】図５Ｂは、図４に示すピンチップにおけるチップ胴部の断面を示す図４のＢ−Ｂ断面図である。
【図５Ｃ】図５Ｃは、図４に示すピンチップにおけるチップ先端部を先端側から見た図４のＣ―Ｃ矢視図である。
【図６】図６は、図４に示すピンチップにおけるチップ胴部の断面を示す図５ＡのＤ−Ｄ断面図である。
【図７】図７は、図４に示すピンチップにおけるチップ先端部の断面を示す図５ＣのＥ−Ｅ断面図である。
【図８】図８は、ピンチップの湾曲した外周面ＯＳの構造の一例を示す図である。
【発明を実施するための形態】
【００１３】
本発明の実施の形態について図面を用いて説明する。
【００１４】
本発明の実施の形態に係るピンチップが適用されるピンチップコンベアは、図１に示すように構成される。
【００１５】
図１において、このピンチェーンコンベアは、オーブン内に設置され、所定間隔にて並列配置されるスプロケット１１０、１１１に巻きかけられたチェーンコンベア１００が、各スプロケット１１０、１１１の回転により、下降動（Ａ方向）、水平動（Ｂ方向）及び上昇動（Ｃ方向）するようになっている。チェーンコンベア１００には、複数のピンチップ２０が所定間隔にて各スプロケット１１０、１１１の軸と平行となるように取付けられている。各ピンチップ２０には、印刷工程を経たシームレス缶体（以下、単に缶体という）５００が引っ掛け支持されており、チェーンコンベア１００の移動と共にピンチップ２０に引っ掛け支持された缶体５００が移動するようになっている。
【００１６】
図２及び図３を参照して、ピンチップ２０のチェーンコンベア１００への取り付け構造について説明する。なお、図２は、缶体を搬送するピンチップコンベアを部分的に拡大して示す斜視図であり、図３は、ピンチップ２０のチェーンコンベア１００への取り付け構造を示す断面図である。
【００１７】
図２及び図３において、鋼製のピン１５は、チェーンコンベア１００の長手方向に直交する方向（図１における各スプロケット１１０、１１１の軸に平行な方向）に延びるように、その一端部がチェーンコンベア１００に固定されている。ピンチップ２０は、耐熱性の熱可塑性樹脂（例えば、ポリエーテル・エーテルケトン）にて形成され、断面（その長手方向に垂直な断面）の輪郭線（外周面に対応）が僅かに扁平した丸状となる中空の棒状体である。ピンチップ２０は、ピン１５が当該ピンチップ２０の長手方向に垂直な断面の偏心した位置を通るように、当該ピン１５に回動自在に装着されている。ピン１５のチェーンコンベア１００とピンチップ２０との間の部分には２つのスリーブ１１、１２が遊嵌している。この２つのスリーブ１１、１２により、回動自在にピン１５に装着されたピンチップ２０のチェーンコンベア１００側への移動が規制される。
【００１８】
中空となるピンチップ２０では、長手方向に垂直な断面の偏心した位置を通るピン１５に近い側の部分より遠い側の部分の厚さが大きくなっている（図３参照）。これにより、ピンチップ２０は、その厚さが大きい側が下側になるようにしてピン１５に回動自在に装着され、その状態が維持される。缶体５００の円筒状胴部の内面は、ピン１５に装着されたピンチップ２０の上側の外周面部分に支持される。
【００１９】
ピンチップ２０は、図２及び図３に示すように、チップ胴部２１とチップ先端部２２との２つの部分で構成される。このようなピンチップ２０の更に詳細な構造について、図４〜図７を参照して説明する。なお、図４は、ピンチップ２０の構造を示す側面図であり、図５Ａは、チップ胴部２１を先端側から見た図４のＡ−Ａ矢視図であり、図５Ｂは、チップ胴部２１の断面を示す図４のＢ−Ｂ断面図であり、図５Ｃは、チップ先端部２２を先端側から見た図４のＣ−Ｃ矢視図である。また、図６は、チップ胴部２１の断面を示す図５ＡのＤ−Ｄ断面図であり、図７は、チップ先端部２２の断面を示す図５ＣのＥ−Ｅ断面図である。
【００２０】
ピンチップ２０は、図４に示すように、チップ胴部２１とチップ先端部２２とを有している。チップ胴部２１には、その先端面から内側に入り込む結合凹部２１１が形成され、チップ先端部２２の後端に段付き構造にて結合凸部２２１が形成されている。チップ胴部２１の先端側の結合凹部２１１とチップ先端部２２の後端側の結合凸部２２１とは、嵌め合い構造２３（結合構造）を構成し、結合凹部２１１と結合凸部２２１とが分離可能な状態で密に嵌合することによってチップ胴部２１とチップ先端部２２とがピンチップ２０として一体化したものとなる（図３参照）。
【００２１】
チップ胴部２１の湾曲した外周面は、図５Ａ及び図５Ｂに示すように、比較的穏やかに湾曲した部分（湾曲の程度が小さい部分）とその部分より大きく湾曲した部分（湾曲の程度が大きい部分）とが滑らかに連続した形状となっている。そして、図４、図５Ａ及び図５Ｂとともに、図６に示すように、チップ胴部２１内には、比較的穏やかに湾曲した外周面部分の側に偏った状態で、空洞部２１２が形成されている。チップ胴部２１の後端面には、その後端面から突出するように軸受け突起部２１３が形成されている。この軸受け突起部２１３内には、空洞部２１２に連通し、チップ胴部２１の長手方向に延びる軸受け孔２１３ａが形成されている。軸受け孔２１３ａの内径は、ピン１５の外径より僅かに大きく、ピン１５が軸受け孔２１３ａによって回動自在に支持され得る。
【００２２】
チップ先端部２２の結合凸部２２１がチップ胴部２１の結合凹部２１１に密に嵌合した状態で、チップ胴部２１の湾曲した外周面から続くチップ先端部２２の湾曲した外周面は、図４とともに図５Ｃに示すように、チップ胴部２１と同様に、比較的緩やかに湾曲した部分（湾曲の程度が小さい部分）とその部分より大きく湾曲した部分（湾曲の程度が大きい部分）とが滑らかに連続した形状となっている。そのような外周面部分から更に先端側の部分は、図４とともに図７に示すように、丸味をもって僅かに立ち下がって、更に、缶体５００のドーム状の底部分に沿って実質的に面接触するように、或いは干渉しないように（図３参照）、後方に向かう凹みをもった傾斜面として形成されている。また、チップ先端部２２内には、図４とともに、図５Ｃ及び図７に示すように、結合凸部２２１の端面で開放する空洞部２２３が形成されている。チップ先端部２２の内側には、結合されるチップ胴部２１の軸受け突起部２１３（図４及び図６参照）に対応するように、軸受け部２２２が突出している。軸受け部２２２には、結合凸部２２１の端面で開放する軸受け凹部２２２ａが形成されている。軸受け凹部２２２ａの内径は、ピン１５の外径より僅かに大きく、ピン１５の先端部が軸受け凹部２２ａによって回動自在に支持され得る。
【００２３】
上述したような構造のチップ胴部２１とチップ先端部２２とが、結合凹部２１１と結合凸部２２１との密な嵌合により結合して一体化されるピンチップ２０は、チップ胴部２１の軸受け突起部２１３の軸受け孔２１３ａから挿入されるピン１５が空洞部２１２を通り、ピン１５の先端部がチップ先端部２２の軸受け部２２２の軸受け凹部２２２ａに回動自在に嵌りこむ。なお、軸受け凹部２２２ａの内周面はピン１５の抜け止め構造となっており、これにより、ピンチップ２０のチェーンコンベア１００から遠ざかる方向の移動が規制される。このような規制と、上述したスリーブ１１、１２によるチェーンコンベア１００に向かう方向の移動が規制されていることとが相まって、ピンチップ２０は、ピン１５に回動自在で装着された状態が安定的に維持される。
【００２４】
図８に示すように、ピンチップ２０の湾曲した外周面ＯＳ（ピンチップ２０のその延びる方向の各位置におけるその方向に垂直な断面の輪郭線に対応）において、缶体５００の円筒状胴部の内面を支持する側の所定範囲の支持外周面部分Ｐｘの湾曲の程度を表す曲率は支持すべき缶体５００の円筒状胴部の曲率（１／半径Ｒ２）と同じである。そして、この支持外周面部分Ｐｘの曲率は、他の大衆面部分、例えば、支持外周面部分Ｐｘとピン１５を支持する軸受け孔２１３ａ（軸受け凹部２２２ａ）と逆側の外周面部分の曲率（１／半径Ｒ１）より小さい。
【００２５】
上述したような構造のピンチップ２０がピン１５に回動自在に装着されたピンチップコンベア１００では、缶体５００がピンチップ２０に引っ掛けられると、その缶体５００の円筒状内面がピンチップ２０の支持外周面部分Ｐｘにて支持されるようになる。この支持外周面部分Ｐｘの曲率が、缶体５００の円筒状内面の曲率と同じであることから、ピンチップ２０の支持外周面部分Ｐｘによって缶体５００の円筒状内面が隙間なく面接触の状態で支持され得る。これにより、ピンチップ２０によって支持される缶体５００の揺れを極力小さくすることができる。その結果、缶体５００に凸状痕ができる凸缶不良や、缶体５００が大きく揺れることに起因した落缶の発生率を低減することができる。
【００２６】
ピンチップコンベア１００では、ピンチップ２０に缶体５００が引っかかる際に、ピンチップ２０は、その先端部が缶体５００の内面に接触しながらその缶体５００内に進入していく（図２参照）。また、缶体５００がピンチップ２０から外れていく際にも、ピンチップ２０は、その先端部が缶体５００の内面に接触しながらその缶体５００から抜けていく（図２参照）。このようにしてピンチップ２０に対する缶体５００の着脱が繰り返されると、ピンチップ２０の先端部が比較的早く摩耗してしまう。
【００２７】
このピンチップ２０は、嵌め合い構造２３（結合構造）によってチップ胴部２１とチップ先端部２２とが一体化された構造となっているので、チップ先端部２２が摩耗してしまった場合、そのチップ先端部２２をチップ胴部２１から分離して交換することができる。従って、ピンチップ２０の先端部分の摩耗によりピンチップ２０全体を交換する必要が無く経済的であり、その交換作業もピンチップ２０全体を交換する場合に比べて容易である。
【００２８】
なお、前記嵌め合い構造は、チップ胴部２１側の結合凹部２１１とチップ先端部２２側の結合凸部２２１とで構成されたが、チップ胴部２１側の結合凸部とチップ先端部２２側の結合凹部とによって構成することもできる。また、チップ胴部２１とチップ先端部２２とを結合させる結合構造は、前記嵌め合い構造に限定されることなく、他の構造、例えば、雄ネジと雌ネジとで構成されるネジ結合構造等であってもよい。
【００２９】
また、なお、ピンチップ２０の湾曲した外周面ＯＳの構造は、前述した構造（図８参照）に限定されることなく、他の構造、単なる円周面であってもよい。
【００３０】
なお、本発明は、前述した実施の形態及びその変形例に限定されるものではない。本発明の趣旨に基づいて種々変形することが可能であり、これらを本発明の範囲から除外するものではない。
【産業上の利用可能性】
【００３１】
本発明に係るピンチップは、経済的であって、かつ、先端部が摩耗した際の処理が容易であるという効果を有し、一方端面が開放された缶体を引っ掛け支持するピンチップとして有用である。
【符号の説明】
【００３２】
１１、１２  スリーブ
１５  ピン
２０  ピンチップ
２１  チップ胴部
２２  チップ先端部
２１１  結合凹部
２１２  空洞部
２１３  軸受け突起部
２１３ａ  軸受け孔
２２１  結合凸部
２２２  軸受け部
２２２ａ  軸受け凹部
２２３  空洞部
【図１】
2020193087.tif 000003
【図２】
2020193087.tif 000004
【図３】
2020193087.tif 000005
【図４】
2020193087.tif 000006
【図５Ａ】
2020193087.tif 000007
【図５Ｂ】
2020193087.tif 000008
【図５Ｃ】
2020193087.tif 000009
【図６】
2020193087.tif 000010
【図７】
2020193087.tif 000011
【図８】
2020193087.tif 000012